(57)【特許請求の範囲】
【請求項１】
ハウジングと、複数本の電線を並列状態で保持することが可能であり前記ハウジングとは別体に形成された電線整列部材とを有し、前記ハウジングは、その前方にモジュラプラグの挿入口と該挿入口内方に位置して前記モジュラプラグと電気的に接続可能なコンタクトとを有する一方、その後方に前記電線整列部材に保持された前記電線のそれぞれと電気的に接続可能な端子を有し、前記コンタクトと前記端子とが前記ハウジング内で電気的に接続しているモジュラジャックにおいて、
前記ハウジングは、前記挿入口と該挿入口の頂部近傍から後方へ延びるアーム部とを備えた上部ハウジング、および前記挿入口の後方に位置するように設けられた前記コンタクトと、前記アーム部の下方に位置するように設けられた前記端子と、前記ハウジングの後方において該ハウジングの両側に位置するように設けられた一対の側壁部とを備えて前記上部ハウジングの下方に位置している下部ハウジングを有し、前記上部ハウジングは、前記アーム部が前記下部ハウジングの一対の側壁部間に位置してこれらアーム部と側壁部との間に延びる支軸を介して前記下部ハウジングに旋回可能に取り付けられており、前記電線整列部材は、前記ハウジングの上下方向において前記上部ハウジングのアーム部と前記下部ハウジングの端子との間に位置し得るように形成されており、前記アーム部側に位置する上面部と前記アーム部の後端部分とは、前記上部ハウジングの旋回過程において前記上面部分が前記アーム部の後端部分に圧接し得る寸法に形成されており、前記電線整列部材の前記端子側に位置する下面部は、複数本の前記電線を前記ハウジングの前後方向へ延びるように並列させることが可能な案内手段を有していることを特徴とする前記モジュラジャック。
【請求項２】
前記上部ハウジングが前記下部ハウジングに対して着脱可能なものである請求項１記載のモジュラジャック。
【請求項３】
前記上部ハウジングのアーム部の両側には前記ハウジングの幅方向へ突出する支軸が形成され、前記下部ハウジングの一対の側壁部それぞれの内面側には前記支軸を回転可能に挿入できる軸受部と、前記側壁部の周縁部から前記軸受部にまで延びて、前記支軸を前記側壁部の周縁部外側から前記軸受部にまで導くことができる案内溝とが形成されている請求項１または２記載のモジュラジャック。
【請求項４】
前記下部ハウジングの一対の側壁部が前記ハウジングの幅方向へ弾性変形可能である請求項１〜３のいずれかに記載のモジュラジャック。
【請求項５】
前記上部ハウジングのアーム部は、前記後方へ向いた後面と、前記ハウジングの上方へ向いた上面と、前記ハウジングの下方へ向いた下面とを有し、前記上部ハウジングの旋回過程において、前記後面と下面とが前記電線整列部材に圧接可能に形成されている請求項１〜３のいずれかに記載のモジュラジャック。
【発明の詳細な説明】
【０００１】
【発明の属する技術分野】
この発明は、モジュラプラグを挿入可能なモジュラジャックに関する。
【０００２】
【従来の技術】
特開平９−２０４９４９号公報に開示されたモジュラジャックは、モジュラプラグを挿入可能なハウジングと、電線を整列保持するために前記ハウジングとは別体に形成された固定具と、前記ハウジングに起伏自在に取り付けられていて前記固定具を電線接続用の端子台に向かって押圧することができるレバーとを有する。このレバーもまた前記ハウジングとは別体に形成されている。
【０００３】
【発明が解決しようとする課題】
前記公知のモジュラジャックでは、レバーを使用することによって、大きな力を必要とすることなく複数本の電線を殆ど同時に端子へ圧入することができる。しかし，このモジュラジャックにおける結線作業では、ハウジングに比べてかなり小さいレバーを操作しなければならず、その作業に手間がかかるということがある。また、このレバーは、ハウジングとは別体の小さなもので、結線作業に先立ってハウジングから取り外したときに紛失し易いということや、結線作業の際にその小さなレバーをまずハウジングに組み付けねばならないという繁雑さがある。
【０００４】
この発明は、モジュラジャックの改良に係り、レバーの力を利用して電線をモジュラジャックの端子へ圧入する際における前記諸問題の解消を課題にしている。
【０００５】
【課題を解決するための手段】
前記課題を解決するために、この発明が対象とするのは、ハウジングと、複数本の電線を並列状態で保持することが可能であり前記ハウジングとは別体に形成された電線整列部材とを有し、前記ハウジングは、その前方にモジュラプラグの挿入口と該挿入口内方に位置して前記モジュラプラグと電気的に接続可能なコンタクトとを有する一方、その後方に前記電線整列部材に保持された前記電線のそれぞれと電気的に接続可能な端子を有し、前記コンタクトと前記端子とが前記ハウジング内で電気的に接続しているモジュラジャックである。
【０００６】
かかるモジュラジャックにおいて、この発明が特徴とするところは、次のとおりである。前記ハウジングは、前記挿入口と該挿入口の頂部近傍から後方へ延びるアーム部とを備えた上部ハウジング、および前記挿入口の後方に位置するように設けられた前記コンタクトと、前記アーム部の下方に位置するように設けられた前記端子と、前記ハウジングの後方において該ハウジングの両側に位置するように設けられた一対の側壁部とを備えて前記上部ハウジングの下方に位置している下部ハウジングを有する。前記上部ハウジングは、前記アーム部が前記下部ハウジングの一対の側壁部間に位置してこれらアーム部と側壁部との間に延びる支軸を介して前記下部ハウジングに旋回可能に取り付けられている。前記電線整列部材は、前記ハウジングの上下方向において前記上部ハウジングのアーム部と前記下部ハウジングの端子との間に位置し得るように形成されており、前記アーム部側に位置する上面部と前記アーム部の後端部分とは、前記上部ハウジングの旋回過程において前記上面部分が前記アーム部の後端部分に圧接し得る寸法に形成されており、前記電線整列部材の前記端子側に位置する下面部は、複数本の前記電線を前記ハウジングの前後方向へ延びるように並列させることが可能な案内手段を有している。
【０００７】
この発明には、次のような好ましい実施態様がある。
（１）前記上部ハウジングが前記下部ハウジングに対して着脱可能なものである。
（２）前記上部ハウジングのアーム部の両側には前記ハウジングの幅方向へ突出する支軸が形成され、前記下部ハウジングの一対の側壁部それぞれの内面側には前記支軸を回転可能に挿入できる軸受部と、前記側壁部の周縁部から前記軸受部にまで延びて、前記支軸を前記側壁部の周縁部外側から前記軸受部にまで導くことができる案内溝とが形成されている。
（３）前記下部ハウジングの一対の側壁部が前記ハウジングの幅方向へ弾性変形可能である。
（４）前記上部ハウジングのアーム部は、前記後方へ向いた後面と、前記ハウジングの上方へ向いた上面と、前記ハウジングの下方へ向いた下面とを有し、前記上部ハウジングが旋回する過程において、前記後面と下面とが前記電線整列部材に圧接可能に形成されている。
【０００８】
【発明の実施の形態】
添付の図面を参照して、この発明に係るモジュラジャックの詳細を説明すると、以下のとおりである。
【０００９】
図１に部分破断図で示されたモジュラジャック１は、上部ハウジング２と下部ハウジング３とからなるハウジング１０を有し、下部ハウジング３の後方には外部機器（図示せず）につながる複数本の電線４が延びている。上部ハウジング２は、前方にモジュラプラグ挿入口６を有し、挿入口６の頂部近傍からはアーム部７が後方へ延びている。アーム部７の両側面８からは上部ハウジング２の幅方向へ支軸９が延びている。下部ハウジング３は、その前方部分が上部ハウジング２によって覆われ、上部ハウジング２の挿入口６の内側にモジュラプラグと電気的に接続可能な複数のコンタクト１１を有する。下部ハウジング３の後方部分では、ハウジング１０の両側それぞれに位置する一対の側壁部１２と１２との間に上部ハウジング２のアーム部７が納まり、アーム部７の支軸９が側壁１２に形成された軸受部１３に回転可能に挿入されている。かように組み立てられている上部ハウジング２と下部ハウジング３とは、下部ハウジング３を一方の手に持って固定すれば、もう一方の手によって上部ハウジング２を支軸９を中心に矢印Ａ方向へ旋回させて仮想線の如く下部ハウジング３に対して開いた状態にすることができる。このときにコンタクト１１は、上部ハウジング２による覆いが取り除かれて、その全体が露出する。
【００１０】
図２は、モジュラジャック１の分解斜視図であるが、上部ハウジング２は図１の状態から矢印Ａ方向へ約１８０°旋回した状態にあり、また、下部ハウジング３は一部分が破断されている。モジュラジャック１は、上部ハウジング２と下部ハウジング３に加え、電線４を保持するための電線整列部材５を有する。
【００１１】
図２の上部ハウジング２は、下部ハウジング３の前方部分を覆うことができる前壁部１５と一対の側壁部１６と頂部１７とを有し、その頂部からはアーム部７が延びている。前壁部１５の中央にはモジュラプラグ挿入口６が形成され、下方には一対のラッチバネ部２０が形成されている（図１を併せて参照）。
【００１２】
図２の下部ハウジング３では、その前方部分に８個のコンタクト１１が露出している。下部ハウジング３の後方平坦部１９では、側壁部１２と１２との間にＵ字溝２１を有する８個の端子板２２ａと２２ｂとが２列になって並んでいる。前方の列を成す４個の端子板は参照符号２２ａを有し、後方の列を成す４個の端子板は参照符号２２ｂを有する。下部ハウジング３の前後方向において、これら端子板２２ａ，２２ｂのＵ字溝２１は重なり合うことがないように、隣り合う端子板２２ａと２２ａとの間に後方の列の端子板２２ｂが位置している。端子板２２ａ，２２ｂのそれぞれは、平坦部１９の下方部分においてコンタクト１１のそれぞれと電気的に接続している（図３参照）。後方平坦部１９の両側部分には上下方向ヘ延びる案内孔２３が形成され、これら案内孔２３には、後記電線整列部材５の脚部２４を挿入することができる。下部ハウジング３の側壁部１２の内面側には、側壁部１２の上縁２６から斜め下方へ延びて軸受部１３に達する案内溝２７が形成されている。側壁部１２のそれぞれを矢印Ｂ，Ｃで示される下部ハウジング３の外方へ向けて僅かに弾性変形させると、上部ハウジング２の支軸９を案内溝２７へ導き入れ、さらに軸受部１３へ納めることができる。
【００１３】
図２の電線整列部材５は、ハウジング１の上下方向に位置する上面部３１と下面部３２、前後方向に位置する前面部３３と後面部３４、幅方向に位置する両側面部３６，３７を有する。上面部３１には、前後方向のほぼ中央域に隆起部３８が形成されている。下面部３２には、幅方向両側部に下方ヘ延びる脚部２４が形成されている。前面部３３では、幅方向へ等間隔で並ぶ８本のＵ字溝３９が上下方向へ延びている。後面部３４には、並列して前後方向へ延びる最大で８本の電線４を挿通可能な電線案内孔４１が形成されており（図３参照）、案内孔４１それぞれは、前面部３３のＵ字溝３９にまで延びている。図では、整列部材５の後方から案内孔４１へ挿入された４本の電線４それぞれがＵ字溝３９の底部から前方へ突出した状態で示され、残り４本の電線４は、案内孔４１へ挿入される以前の状態で示されている。整列部材５の側面部３６，３７は平滑に形成され、両側面部３６と３７との間の寸法、即ち整列部材５の幅は、下部ハウジング３の側壁部１２と１２との間の寸法よりも僅かに小さい。
【００１４】
かように形成された上部ハウジング２と、下部ハウジング３と、電線整列部材５とを組み立てるには、図２の状態において、まず電線４が挿入された整列部材５を下部ハウジング３の後方平坦部１９の上方に位置させ、整列部材５の脚部２４を下部ハウジング３の案内孔２３へ挿入する。下部ハウジング３の２列の端子板２２ａ，２２ｂのそれぞれは、下部ハウジング３の幅方向へ等間隔で並び前後方向において重なり合うことがなく、それぞれの端子板２２ａ，２２ｂのＵ字溝２１は、整列部材５の案内孔４１へ挿入された電線４それぞれの直下に位置している。次に、図２の状態にある上部ハウジング２の支軸９を下部ハウジング３の案内溝２７へ導き、軸受１３へ納める。このときの上部ハウジング２は、図３に仮想線の上部ハウジング２ａとして示されている。
【００１５】
図３は、図１のＩＩＩ−ＩＩＩ線断面図であって、下部ハウジング３に対して電線整列部材５と上部ハウジング２とを取り付ける順序が併せて示されている。脚部２４が案内孔２３へ挿入された電線整列部材５の上面部３１とその隆起部３８は、上部ハウジング２ａのアーム部７に平行で、かつ離間している。支軸９を中心に上部ハウジング２ａが矢印Ｄ方向へ９０°旋回して上部ハウジング２ｂの位置に来ると、アーム部７の後面４２が上面部３１の隆起部３８を押圧して整列部材５を下降させる。整列部材５が下降する過程において、電線４は、その電線４の直下に位置する端子板２２ａまたは２２ｂのＵ字溝２１に圧入される。図では、８本の電線４のうちの１本が端子板２２ｂのＵ字溝２１に圧入される例が示されている。Ｕ字溝２１の幅は、電線４の心線４３の径よりも小さく、溝２１に圧入された電線４はその被覆４４が破れて心線４３と端子板２２ｂとが電気的に接続する。電線４のかかる圧入を確実かつ容易にするために、電線整列部材５の案内孔４１の内面には、電線４に対する第１押圧面５１、第２押圧面５２、第３押圧面５３が形成されている。第１押圧面５１と第２押圧面５２との間には前列の端子板２２ａの上端部が進入する凹部５４が形成され、第２押圧面５２と第３押圧面５３との間には後列の端子板２２ｂの上端部が進入する凹部５６が形成されている。端子板２２ａへ圧入される電線４には、端子板２２ａの前後において第１押圧面５１と第２押圧面５２とが当接する。端子板２２ｂへ圧入される電線４には、端子板２２ｂの前後において第２押圧面５２と第３押圧面５３とが当接する。電線整列部材５の前方へ突出している電線４の前端部分５８は、整列部材５が下降するときに、下部ハウジング３の前後方向中央域に位置する壁部５７の後面に当接して図示のように折曲され、整列部材５の溝部３９に納まる。仮想線の上部ハウジング２ｂは、矢印Ｅ方向へさらに９０°旋回すると、実線で示された上部ハウジング２となり、前壁部１５のラッチバネ部２０が下部ハウジング３に形成されたラッチ溝５９（図２を併せて参照）に係合して下部ハウジング３に対して閉じた状態になる。閉じた上部ハウジング２では、アーム部７が電線整列部材５の上面３１と隆起部３８とに対して平行かつ離間している。
【００１６】
このように形成されたモジュラジャック１では、矢印Ｄ，Ｅ方向へ旋回する上部ハウジング２が電線４を端子板２２ａ、２２ｂへ圧入するためのレバーとして作用するので、電線４がたとえ複数本であってもそれらを同時に圧入するために大きな力を必要とするということがない。また、そのレバーとなる上部ハウジング２は、従来技術のモジュラジャックのようにハウジングの内側へ組み込まれるレバーとは異なりモジュラジャック１の幅のほぼ全体を占めるように大きく作ることもできるし、モジュラジャック１の全長の１／２以上となるように大きく作ることが可能であるから、レバーとしての操作が容易であるばかりではなく、上部ハウジング２を下部ハウジングから取り外した場合でも、その上部ハウジング２を紛失するという恐れがない。また、上部ハウジング２を図１の矢印Ａ方向へ旋回させれば、コンタクト１１を取り付ける部位の全体が露出するから、モジュラジャックの製造工程においてコンタクト１１を折り曲げる作業が極めて容易である。また、モジュラジャック１の使用中にコンタクト１１を変形させてしまった場合には、そのコンタクト１１を修復する作業が容易である。上部ハウジング２と電線整列部材５とは、下部ハウジング３から取り外し可能であるから、一度結線した電線４を新たな電線４と交換する作業も極めて容易である。
【００１７】
図４は、この発明の実施態様の一例を示す図３と同様な図面である。このモジュラジャック１では、上部ハウジング２が仮想線で示されるように下部ハウジング３に対して開いた状態にあるときにも、また閉じた状態にあるときにも、アーム部７の後端部分６１は、その後面４２または下面６２が電線整列部材５の隆起部３８に当接している。このような当接が可能となるように隆起部３８の高さと後端部分６１の寸法とが調整されていると、モジュラジャック１の使用中に整列部材５が浮き上がり、電線４が端子板２２ａや２２ｂから外れるという恐れがない。
【００１８】
この発明において、上部ハウジング２には支軸９に代えて下部ハウジング３の軸受部１３と同軸をなす幅方向への貫通孔を設け、ハウジング１０の外側からこの貫通孔と軸受部１３とにピンを挿抜することによって上部ハウジング２を下部ハウジング３に対して旋回可能かつ着脱可能にすることもできる。また、この発明は、上部ハウジング２が下部ハウジング３に対して旋回可能ではあるが、取り外し不能である態様で実施することもできる。そのような態様のモジュラジャック１であっても上部ハウジング２によって操作しやすい大きなレバーを得ることができる。
【００１９】
【発明の効果】
この発明に係るモジュラジャックでは、モジュラジャックのハウジングを上下方向に２分して上部ハウジングと下部ハウジングとを設け、上部ハウジングは、下部ハウジングに対して旋回可能に形成して、電線をモジュラジャックの端子へ圧入するときのレバーとして使用できるようにしたから、かかるレバーは、従来技術のそれに比べて大きく作ることが可能で、得られるレバーは、操作し易いものになる。また、この発明においては、上部ハウジングを下部ハウジングに対して旋回させて開くと、モジュラプラグと接触させるべきコンタクトが露出するから、使用中のモジュラジャックにおいて、コンタクトを補修する作業が容易になる。
【００２０】
この発明において、上部ハウジングが下部ハウジングに対して着脱可能である態様では、モジュラジャックの組み立て作業が容易である他に、組み立てられたモジュラジャックにおける電線の交換作業が容易である。また、下部ハウジングから外した上部ハウジングを紛失するという恐れがなくなる。
【図面の簡単な説明】
【図１】モジュラジャックの部分破断斜視図。
【図２】モジュラジャックの分解斜視図。
【図３】図１のＩＩＩ−ＩＩＩ線断面図。
【図４】実施態様の一例を示す図３と同様な図面。
【符号の説明】
１      モジュラジャック
２      上部ハウジング
３      下部ハウジング
４      電線
５      電線整列部材
６      挿入口
７      アーム部
９      支軸
１０      ハウジング
１１      コンタクト
１２      側壁部
１３      軸受部
２２ａ，２２ｂ      端子（端子板）
２７      案内溝
３８      上面（隆起部）
４１      案内手段
４２      後面
６１      後端部分
６２      下面
【図１】
0003546188.tif 000002
【図２】
0003546188.tif 000003
【図３】
0003546188.tif 000004
【図４】
0003546188.tif 000005